(57)【要約】【課題】スイッチの寿命を延ばすことが目的とされる。【解決手段】電力変換器１は、入力端子１１ａ，１１ｂ、コンバータ１１、インバータ１２、スイッチＳを備える。入力端子１１ａ，１１ｂの間には電源１４が接続される。コンバータ１１は、全波整流回路と倍電圧整流回路とを有し、入力端子１１ａ，１１ｂとインバータ１２との間に接続される。スイッチＳは、全波整流回路及び倍電圧整流回路のいずれを入力端子１１ａ，１１ｂとインバータ１２との間に接続するかを選択することができる。倍電圧整流回路が選択されるある時点から倍電圧整流回路を選択したまま時間を測定する。そして、測定した時間が所定の時間を経過した後、直ちにスイッチＳを全波整流回路への接続に切り換える。【選択図】図１
2007236167.tif 000002
【特許請求の範囲】
【請求項１】
交流電圧（Ｖｃ）が供給される一対の入力端子（１１ａ，１１ｂ）と、
前記交流電圧を全波整流する全波整流回路（１１）と、
前記交流電圧を倍電圧整流する倍電圧整流回路（１１）と、
前記全波整流回路及び倍電圧整流回路のいずれか一方からの出力（Ｖｄ）を所望の電圧（Ｖｕ，Ｖｖ，Ｖｗ）に変換するインバータ（１２）と、
前記入力端子と前記インバータとの間で前記全波整流回路及び前記倍電圧整流回路のいずれを接続するかを選択可能なスイッチ（Ｓ）と
を備える電力変換器（１）を、制御する方法であって、
前記倍電圧整流回路が選択されるある時点から前記倍電圧整流回路を選択したまま時間を測定し、
前記時間が所定の時間（Δｔ）を経過した後、直ちに前記スイッチを前記全波整流回路への接続に切り換える、電力変換器の制御方法。
【請求項２】
交流電圧（Ｖｃ）が供給される一対の入力端子（１１ａ，１１ｂ）と、
前記交流電圧を全波整流する全波整流回路（１１）と、
前記交流電圧を倍電圧整流する倍電圧整流回路（１１）と、
前記全波整流回路及び倍電圧整流回路のいずれか一方からの出力を所望の電圧（Ｖｕ，Ｖｖ，Ｖｗ）に変換するインバータ（１２）と、
前記入力端子と前記インバータとの間で前記全波整流回路及び前記倍電圧整流回路のいずれを接続するかを選択可能なスイッチ（Ｓ）と
を備え、前記所望の電圧を負荷に与える電力変換器（１）を、制御する方法であって、
前記倍電圧整流回路が選択されるある時点から前記倍電圧整流回路を選択したまま時間を測定し、
前記時間が所定の時間（Δｔ）を経過してから、前記負荷の仕事率（η）を測定し、
前記仕事率が所定の値（η０）以下である場合にのみ、直ちに前記スイッチを前記全波整流回路への接続に切り換える、電力変換器の制御方法。
【請求項３】
前記仕事率（η）の測定を開始してから所定の時間が経過するまでの間、測定された前記仕事率が前記所定の値（η０）以下である場合にのみ、直ちに前記スイッチ（Ｓ）を前記全波整流回路への接続に切り換える、請求項２記載の電力変換器の制御方法。
【請求項４】
前記負荷はモータ（１３）であって、
前記仕事率（η）は、前記モータの回転数（ω）に基づいて得られる、請求項２または請求項３記載の電力変換器の制御方法。
【請求項５】
前記仕事率（η）は、前記電力変換器に入力される電流（ｉｃ）または前記インバータ（１２）から出力される電流（ｉｕ，ｉｖ，ｉｗ）に基づいて得られる、請求項２または請求項３記載の電力変換器の制御方法。
【請求項６】
前記電力変換器は温調機に搭載可能で、
前記仕事率（η）は、前記温調機で温調される対象の温度（Ｔ）に基づいて得られる、請求項２または請求項３記載の電力変換器の制御方法。
【請求項７】
前記全波整流回路及び前記倍電圧整流回路（１１）は、
カソードが前記入力端子の一方（１１ａ）に接続される第１のダイオード（Ｄ１）と、
アノードが前記入力端子の前記一方に接続される第２のダイオード（Ｄ２）と、
カソードが前記入力端子の他方（１１ｂ）に接続され、アノードが前記第１のダイオードのアノードに接続される第３のダイオード（Ｄ３）と、
アノードが前記入力端子の前記他方に接続され、カソードが前記第２のダイオードのカソードに接続される第４のダイオード（Ｄ４）と、
前記第１のダイオードの前記アノードと前記第２のダイオードの前記カソードとの間で直列に接続される第１及び第２のコンデンサ（Ｃ１，Ｃ２）と
を共有し、
前記スイッチ（Ｓ）は、前記第１のコンデンサと前記第２のコンデンサとが相互に接続される位置（ｒ１）と、前記入力端子の前記他方との間に接続される、請求項１乃至請求項６のいずれか一つに記載の電力変換器の制御方法。
【請求項８】
請求項１乃至請求項７のいずれか一つに記載の電力変換器の制御方法を実行する、電力変換器の制御装置。
【請求項９】
請求項８に記載の電力変換器の制御装置（２）と、
交流電圧（Ｖｃ）が供給される一対の入力端子（１１ａ，１１ｂ）と、
前記交流電圧を全波整流する全波整流回路（１１）と、
前記交流電圧を倍電圧整流する倍電圧整流回路（１１）と、
前記全波整流回路及び倍電圧整流回路のいずれか一方からの出力を所望の電圧（Ｖｕ，Ｖｖ，Ｖｗ）に変換するインバータ（１２）と、
前記入力端子と前記インバータとの間で前記全波整流回路及び前記倍電圧整流回路のいずれを接続するかを選択可能なスイッチ（Ｓ）と
を備える、電力変換器。
【請求項１０】
前記全波整流回路及び前記倍電圧整流回路（１１）は、
カソードが前記入力端子の一方（１１ａ）に接続される第１のダイオード（Ｄ１）と、
アノードが前記入力端子の前記一方に接続される第２のダイオード（Ｄ２）と、
カソードが前記入力端子の他方（１１ｂ）に接続され、アノードが前記第１のダイオードのアノードに接続される第３のダイオード（Ｄ３）と、
アノードが前記入力端子の前記他方に接続され、カソードが前記第２のダイオードのカソードに接続される第４のダイオード（Ｄ４）と、
前記第１のダイオードの前記アノードと前記第２のダイオードの前記カソードとの間で直列に接続される第１及び第２のコンデンサ（Ｃ１，Ｃ２）と
を共有し、
前記スイッチ（Ｓ）は、前記第１のコンデンサと前記第２のコンデンサとが相互に接続される位置（ｒ１）と、前記入力端子の前記他方との間に接続される、請求項９記載の電力変換器。
【請求項１１】
前記スイッチ（Ｓ）はラッチリレーである、請求項９または請求項１０記載の電力変換器。
【発明の詳細な説明】
【技術分野】
【０００１】
本発明は、電力変換器の制御に関し、特に二種の整流回路を切り換えるスイッチの切換えに関する。
【背景技術】
【０００２】
電力変換器は、入力された電圧を整流するコンバータと、整流された電圧を所望の電圧に変換するインバータとを備える。そして、当該所望の電圧を例えばモータに供給することで、モータを駆動することができる。
【０００３】
コンバータは、倍電圧整流回路と、全波整流回路とを有し、これらのいずれか一方がスイッチによって切換え可能に選択される。つまり、選択された一方がインバータに接続される。例えば、モータの仕事率が大きい場合には倍電圧整流回路が選択され、当該仕事率が小さい場合には全波整流回路が選択される。
【０００４】
なお、本発明に関連する技術を以下に示す。
【０００５】
【特許文献１】特開平１１−３２４９８号公報
【特許文献２】特開平１１−５５９４７号公報
【発明の開示】
【発明が解決しようとする課題】
【０００６】
しかし、従来の電力変換器では、例えばモータの仕事率が所定の値に至るまで、倍電圧整流回路と全波整流回路とが頻繁に切り換えられていた。換言すれば、スイッチの切り換えが頻繁に行われていた。このため、切り換えによりスイッチが磨耗しやすくなり、以ってスイッチの寿命が短くなる可能性があった。
【０００７】
本発明は、上述した事情に鑑みてなされたものであり、スイッチの寿命を延ばすことが目的とされる。
【課題を解決するための手段】
【０００８】
この発明の請求項１にかかる電力変換器の制御方法は、交流電圧（Ｖｃ）が供給される一対の入力端子（１１ａ，１１ｂ）と、前記交流電圧を全波整流する全波整流回路（１１）と、前記交流電圧を倍電圧整流する倍電圧整流回路（１１）と、前記全波整流回路及び倍電圧整流回路のいずれか一方からの出力（Ｖｄ）を所望の電圧（Ｖｕ，Ｖｖ，Ｖｗ）に変換するインバータ（１２）と、前記入力端子と前記インバータとの間で前記全波整流回路及び前記倍電圧整流回路のいずれを接続するかを選択可能なスイッチ（Ｓ）とを備える電力変換器（１）を、制御する方法であって、前記倍電圧整流回路が選択されるある時点から前記倍電圧整流回路を選択したまま時間を測定し、前記時間が所定の時間（Δｔ）を経過した後、直ちに前記スイッチを前記全波整流回路への接続に切り換える。
【０００９】
この発明の請求項２にかかる電力変換器の制御方法は、交流電圧（Ｖｃ）が供給される一対の入力端子（１１ａ，１１ｂ）と、前記交流電圧を全波整流する全波整流回路（１１）と、前記交流電圧を倍電圧整流する倍電圧整流回路（１１）と、前記全波整流回路及び倍電圧整流回路のいずれか一方からの出力を所望の電圧（Ｖｕ，Ｖｖ，Ｖｗ）に変換するインバータ（１２）と、前記入力端子と前記インバータとの間で前記全波整流回路及び前記倍電圧整流回路のいずれを接続するかを選択可能なスイッチ（Ｓ）とを備え、前記所望の電圧を負荷に与える電力変換器（１）を、制御する方法であって、前記倍電圧整流回路が選択されるある時点から前記倍電圧整流回路を選択したまま時間を測定し、前記時間が所定の時間（Δｔ）を経過してから、前記負荷の仕事率（η）を測定し、前記仕事率が所定の値（η０）以下である場合にのみ、直ちに前記スイッチを前記全波整流回路への接続に切り換える。
【００１０】
この発明の請求項３にかかる電力変換器の制御方法は、請求項２記載の電力変換器の制御方法であって、前記仕事率（η）の測定を開始してから所定の時間が経過するまでの間、測定された前記仕事率が前記所定の値（η０）以下である場合にのみ、直ちに前記スイッチ（Ｓ）を前記全波整流回路への接続に切り換える。
【００１１】
この発明の請求項４にかかる電力変換器の制御方法は、請求項２または請求項３記載の電力変換器の制御方法であって、前記負荷はモータ（１３）であって、前記仕事率（η）は、前記モータの回転数（ω）に基づいて得られる。
【００１２】
この発明の請求項５にかかる電力変換器の制御方法は、請求項２または請求項３記載の電力変換器の制御方法であって、前記仕事率（η）は、前記電力変換器に入力される電流（ｉｃ）または前記インバータ（１２）から出力される電流（ｉｕ，ｉｖ，ｉｗ）に基づいて得られる。
【００１３】
この発明の請求項６にかかる電力変換器の制御方法は、請求項２または請求項３記載の電力変換器の制御方法であって、前記電力変換器は温調機に搭載可能で、前記仕事率（η）は、前記温調機で温調される対象の温度（Ｔ）に基づいて得られる。
【００１４】
この発明の請求項７にかかる電力変換器の制御方法は、請求項１乃至請求項６のいずれか一つに記載の電力変換器の制御方法であって、前記全波整流回路及び前記倍電圧整流回路（１１）は、カソードが前記入力端子の一方（１１ａ）に接続される第１のダイオード（Ｄ１）と、アノードが前記入力端子の前記一方に接続される第２のダイオード（Ｄ２）と、カソードが前記入力端子の他方（１１ｂ）に接続され、アノードが前記第１のダイオードのアノードに接続される第３のダイオード（Ｄ３）と、アノードが前記入力端子の前記他方に接続され、カソードが前記第２のダイオードのカソードに接続される第４のダイオード（Ｄ４）と、前記第１のダイオードの前記アノードと前記第２のダイオードの前記カソードとの間で直列に接続される第１及び第２のコンデンサ（Ｃ１，Ｃ２）とを共有し、前記スイッチ（Ｓ）は、前記第１のコンデンサと前記第２のコンデンサとが相互に接続される位置（ｒ１）と、前記入力端子の前記他方との間に接続される。
【００１５】
この発明の請求項８にかかる電力変換器の制御装置は、請求項１乃至請求項７のいずれか一つに記載の電力変換器の制御方法を実行する。
【００１６】
この発明の請求項９にかかる電力変換器は、請求項８に記載の電力変換器の制御装置（２）と、交流電圧（Ｖｃ）が供給される一対の入力端子（１１ａ，１１ｂ）と、前記交流電圧を全波整流する全波整流回路（１１）と、前記交流電圧を倍電圧整流する倍電圧整流回路（１１）と、前記全波整流回路及び倍電圧整流回路のいずれか一方からの出力を所望の電圧（Ｖｕ，Ｖｖ，Ｖｗ）に変換するインバータ（１２）と、前記入力端子と前記インバータとの間で前記全波整流回路及び前記倍電圧整流回路のいずれを接続するかを選択可能なスイッチ（Ｓ）とを備える。
【００１７】
この発明の請求項１０にかかる電力変換器は、請求項９記載の電力変換器であって、前記全波整流回路及び前記倍電圧整流回路（１１）は、カソードが前記入力端子の一方（１１ａ）に接続される第１のダイオード（Ｄ１）と、アノードが前記入力端子の前記一方に接続される第２のダイオード（Ｄ２）と、カソードが前記入力端子の他方（１１ｂ）に接続され、アノードが前記第１のダイオードのアノードに接続される第３のダイオード（Ｄ３）と、アノードが前記入力端子の前記他方に接続され、カソードが前記第２のダイオードのカソードに接続される第４のダイオード（Ｄ４）と、前記第１のダイオードの前記アノードと前記第２のダイオードの前記カソードとの間で直列に接続される第１及び第２のコンデンサ（Ｃ１，Ｃ２）とを共有し、前記スイッチ（Ｓ）は、前記第１のコンデンサと前記第２のコンデンサとが相互に接続される位置（ｒ１）と、前記入力端子の前記他方との間に接続される。
【００１８】
この発明の請求項１１にかかる電力変換器は、請求項９または請求項１０記載の電力変換器であって、前記スイッチ（Ｓ）はラッチリレーである。
【発明の効果】
【００１９】
この発明の請求項１にかかる電力変換器の制御方法によれば、第１の時間が経過するまでスイッチを切り換えないので、スイッチの寿命を延ばすことができる。
【００２０】
この発明の請求項２乃至請求項６のいずれか一つにかかる電力変換器の制御方法によれば、仕事率が所定の値より小さい場合のみスイッチを切り換えるので、スイッチの寿命が延びる。
【００２１】
この発明の請求項７にかかる電力変換器の制御方法によれば、スイッチがオフにされると、ブリッジダイオードと第１及び第２のコンデンサとで倍電圧整流回路が構成され、スイッチがオンにされると、ブリッジダイオードと第１及び第２のコンデンサとで全波整流回路が構成される。よって、当該スイッチの切換えによって倍電圧整流回路への接続と全波整流回路への接続とを相互に切り換えることができる。
【００２２】
この発明の請求項８にかかる電力変換器の制御装置によれば、請求項１乃至請求項７のいずれか一つに記載の制御が実行できる。
【００２３】
この発明の請求項９または請求項１０にかかる電力変換器によれば、スイッチの寿命が延びるので、電力を変換する能力が低下しにくい。
【００２４】
この発明の請求項１１にかかる電力変換器によれば、スイッチで消費される電力が小さい。
【発明を実施するための最良の形態】
【００２５】
図１及び図２は、本発明にかかる電力変換器１及び制御装置２を概念的に示す。なお、図１には、電力変換器１に交流電圧Ｖｃを供給する電源１４、電力変換器１からの出力が供給されるモータ１３も示されている。
【００２６】
電力変換器１は、入力端子１１ａ，１１ｂ、コンバータ１１、インバータ１２、スイッチＳを備える。
【００２７】
入力端子１１ａ，１１ｂの間には電源１４が接続される。交流電圧Ｖｃは、入力端子１１ａ，１１ｂを介してコンバータ１１に供給される。なお、図１では、電源１４と入力端子１１ａとの間にコイルＬを接続した場合が示されており、かかる態様では電源力率を改善することができる。そして、コイルＬに流れる入力電流が符号ｉｃで表されている。
【００２８】
コンバータ１１は、全波整流回路と倍電圧整流回路とを有し、入力端子１１ａ，１１ｂとインバータ１２との間に接続される。全波整流回路は交流電圧Ｖｃを全波整流し、倍電圧整流回路は交流電圧Ｖｃを倍電圧整流する。
【００２９】
スイッチＳは、全波整流回路及び倍電圧整流回路のいずれを入力端子１１ａ，１１ｂとインバータ１２との間に接続するかを選択することができる。スイッチＳには、例えばラッチリレーを採用することが望ましい。なぜなら、スイッチＳで消費される電力が小さくなるからである。
【００３０】
コンバータ１１及びスイッチＳの具体的な構成について以下に説明する。
【００３１】
コンバータ１１は、ブリッジダイオード１１１とコンデンサＣ１，Ｃ２とを有する。
【００３２】
ブリッジダイオード１１１はダイオードＤ１〜Ｄ４を有する。ダイオードＤ１のカソード及びダイオードＤ２のアノードは各々、入力端子１１ａに接続される。ダイオードＤ３については、カソードが入力端子１１ｂに、アノードがダイオードＤ１のアノードに、それぞれ接続される。ダイオードＤ４については、アノードが入力端子１１ｂに、カソードがダイオードＤ２のカソードに、それぞれ接続される。
【００３３】
コンデンサＣ１，Ｃ２は、ダイオードＤ１のアノードとダイオードＤ２のカソードとの間で直列に接続される。
【００３４】
スイッチＳは、コンデンサＣ１，Ｃ２が相互に接続される位置ｒ１と、入力端子１１ｂとの間に接続される。
【００３５】
そして、スイッチＳをオンに制御することで、位置ｒ１と入力端子１１ｂとの間が短絡するので、コンバータ１１は全波整流回路として機能する。他方、スイッチＳをオフに制御することで、位置ｒ１と入力端子１１ｂとの間が開放されるので、コンバータ１１は倍電圧整流回路として機能する。つまり、スイッチＳの切換えによって倍電圧整流回路への接続と全波整流回路への接続とを相互に切り換えることができる。
【００３６】
上述した内容は、倍電圧整流回路と全波整流回路とがブリッジダイオード１１１及びコンデンサＣ１，Ｃ２を共有すると把握することができる。
【００３７】
インバータ１２には、コンバータ１１の出力である直流電圧Ｖｄが供給される。インバータ１２は、直流電圧Ｖｄを所望の交流電圧に変換し、当該交流電圧を負荷に供給する。図１では、所望の交流電圧が３相交流電圧Ｖｕ，Ｖｖ，Ｖｗであって、これがモータ１３に与えられる場合が示されている。このとき、インバータ１２の出力側には、電流ｉｕ，ｉｖ，ｉｗが流れる。
【００３８】
制御部２は、スイッチ切換部２１及び時間検出部２２を有する。スイッチ切換部２１は、スイッチＳのオン／オフを制御する。時間検出部２２は、時間を測定することができ、しかも測定を開始した時点から所定の時間が経過したかどうかを検出することができる。ただし、測定を開始した時点から所定の時間が経過したかどうかの検出は、例えばスイッチ切換部２１で行っても良い。
【００３９】
次に、本発明にかかるスイッチＳの制御方法を用いて説明する。図３は、（ａ）対象の温度Ｔ、（ｂ）モータ１３の回転数ω、（ｃ）入力電流ｉｃ、（ｄ）直流電圧Ｖｄ及び（ｅ）スイッチＳのオン／オフの制御の、それぞれの時間変化をグラフで示す。なお、図３（ａ）は、モータ１３を例えば温調機に搭載した場合において、当該温調機で温調する対象の温度Ｔを示す。
【００４０】
まず、時刻ｔ０において、スイッチ切換部２１によってスイッチＳがオフに制御され、コンバータ１１において倍電圧整流回路が選択される。時刻ｔ０には、例えばモータ１３の駆動を開始する時刻が採用できる。これに伴って、時間検出部２２によって、時刻ｔ０からの時間の測定が開始される。その後、スイッチＳはオフに制御されたまま維持される。
【００４１】
所定の時間Δｔが経過したことが時間検出部２２で検出されれば、その後直ちにスイッチ切換部２１によってスイッチＳがオンに制御される。つまり、コンバータ１１において全波整流回路が選択される。図３では、時刻ｔ０から所定の時間Δｔが経過した時刻ｔ１で、スイッチＳがオフからオンに切り換えられる場合が示されている。
【００４２】
かかる制御によれば、時刻ｔ０から所定の時間Δｔが経過するまでスイッチＳを切り換えないので、スイッチＳの寿命を延ばすことができる。
【００４３】
所定の時間Δｔには、例えばモータ１３の仕事率ηが減少して所定の値η０に至るまでの時間が採用できる。その他、対象の温度Ｔが所定の値Ｔ０に至るまでの時間（図３（ａ））や、モータの１３の回転数ωが減少して所定の値ω０に至るまでの時間（図３（ｂ））、入力電流ｉｃが減少して所定の値ｉｃ０に至るまでの時間（図３（ｃ））、インバータ１２の出力電流ｉｕ，ｉｖ，ｉｗが減少して所定の値ｉｕ０，ｉｖ０，ｉｗ０に至るまでの時間などを採用しても良い。
【００４４】
例えば、次のようにスイッチＳの切換えを行っても良い。時刻ｔ０から所定の時間Δｔが経過してから、モータ１３の仕事率ηを測定する。そして、仕事率ηが所定の値η０以下である場合にのみ、スイッチＳを全波整流回路への接続に切り換える。他方、仕事率ηが所定の値η０より大きい場合には、スイッチＳを倍電圧整流回路への接続のまま維持する。
【００４５】
かかる制御によれば、スイッチＳを切換えが制限されるので、スイッチＳの寿命が延びる。
【００４６】
仕事率ηは、例えば対象の温度Ｔ、回転数ω、入力電流ｉｃ及び出力電流ｉｕ，ｉｖ，ｉｗのいずれか少なくとも一つに基づいて推定しても良い。
【００４７】
また、仕事率ηに替えて、例えば対象の温度Ｔ、回転数ω、入力電流ｉｃ及び出力電流ｉｕ，ｉｖ，ｉｗのいずれか少なくとも一つに基づいて、スイッチＳを切り換えるか否かを判断しても良い。具体的には、所定の時間Δｔを経過してから、対象の温度Ｔ、回転数ω及び入力電流ｉｃのいずれか少なくとも一つを測定し、測定した値がそれに対応する所定の値Ｔ０，ω０，ｉｃ０，ｉｕ０，ｉｖ０，ｉｗ０に至っていると判断した場合にのみ、直ちにスイッチＳを切り換えても良い。所定の値Ｔ０，ω０，ｉｃ０，ｉｕ０，ｉｖ０，ｉｗ０には、全波整流回路で制御可能な値が採用できる。
【００４８】
図１では、制御部２が回転数推定部２３を有し、回転数推定部２３がインバータ１２の入力側から得た情報に基づいて回転数ωを推定する場合が示されている。回転数推定部２３で推定された回転数ωは、スイッチ切換部２１に与えられる。スイッチ切換部２１は、回転数ωが所定の値ω０に至っていると判断した場合には、スイッチＳをオンに制御する（図３（ｂ）及び（ｅ））。他方、回転数ωが所定の値ω０に至っていないとスイッチ切換部２１が判断した場合には、スイッチＳをオフのまま維持する。
【００４９】
図２では、制御部２が入力電流検出部２４を有し、入力電流検出部２４が入力電流ｉｃを検出する場合が示されている。入力電流検出部２４で検出された入力電流ｉｃは、スイッチ切換部２１に与えられる。スイッチ切換部２１は、入力電流ｉｃが減少して所定の値ｉｃ０に至っていると判断した場合には、スイッチＳをオンに制御する（図３（ｃ）及び（ｅ））。他方、所定の値ｉｃ０に至っていないとスイッチ切換部２１が判断した場合には、スイッチＳをオフのまま維持する。
【００５０】
上述したいずれの制御においても、仕事率η、対象の温度Ｔ、回転数ω、入力電流ｉｃ及び出力電流ｉｕ，ｉｖ，ｉｗの測定を開始してから所定の時間が経過するまでの間、測定された値Ｔ，ω，ｉｃ，ｉｕ，ｉｖ，ｉｗが所定の値Ｔ０，ω０，ｉｃ０，ｉｕ０，ｉｖ０，ｉｗ０以下であると判断された場合にのみ、直ちにスイッチＳの切換えを行っても良い。
【図面の簡単な説明】
【００５１】
【図１】本発明にかかる電力変換器及び制御装置を概念的に示す図である。
【図２】本発明にかかる電力変換器及び制御装置を概念的に示す図である。
【図３】（ａ）対象の温度Ｔ、（ｂ）モータ１３の回転数ω、（ｃ）入力電流ｉｃ、（ｄ）直流電圧Ｖｄ及び（ｅ）スイッチＳのオン／オフの制御の、それぞれの時間変化をグラフで示す図である。
【符号の説明】
【００５２】
１  電力変換器
２  制御装置
１１  コンバータ
１１ａ，１１ｂ  入力端子
１２  インバータ
１３  モータ
Ｓ  スイッチ
Δｔ  所定の時間
Ｖｄ  直流電圧
Ｖｃ  交流電圧
Ｖｕ，Ｖｖ，Ｖｗ  ３相交流電圧（所望の電圧）
η  仕事率
η０  所定の値
ω  回転数
ｉｃ  入力電流
ｉｕ，ｉｖ，ｉｗ  電流
Ｔ  対象の温度
Ｄ１〜Ｄ４  ダイオード
Ｃ１，Ｃ２  コンデンサ
ｒ１  位置
【図１】
2007236167.tif 000003
【図２】
2007236167.tif 000004
【図３】
2007236167.tif 000005